(57)【要約】本発明はコンクリートの硬化後に、コンクリート躯体部分に角棒状の内外装材下地部材４が形成される内外装材下地兼用型枠パネル１を提供することを課題とする。  上記のような課題を解決するために、型枠２の表面に断面凹状部分からなる縦溝３を形成し、この縦溝３に角棒状の内外装材下地部材４を挿入し、この型枠２を組み立ててコンクリート打設した後に型枠２のみを取り除いてコンクリート躯体部分に内外装材の下地材のみを固定することを特徴とする。【特許請求の範囲】
【請求項１】
プラスチック板により構成され、表面に複数の断面長方形状の縦溝を形成したコンクリート型枠のせき板と、
前記縦溝に嵌め込まれる、角棒状の内外装材下地部材とから構成される
内外装材下地兼用型枠パネル。
【請求項２】
前記内外装下地部材は、前記縦溝から表出する面にコンクリート内に埋設固定されるアンカー部が設けられている請求項１に記載の内外装下地兼用型枠パネル。
【請求項３】
前記縦溝の底部には１以上の貫通孔が形成され、前記内外装下地部材は貫通孔を介してビス類により前記せき板に固定される請求項１又は２に記載の内外装下地兼用型枠パネル。
【請求項４】
前記縦溝の底部には１以上の貫通孔が形成され、前記内外装下地部材には前記縦溝に係合した際にこの貫通孔に連通する貫通孔が形成される請求項１から３のいずれか１項に記載の内外装下地兼用型枠パネル。
【請求項５】
プラスチック板により構成される表面に複数の断面長方形状部分を縦溝として形成したせき板を有するコンクリート型枠の前記縦溝に角棒状の内外装下地部材を嵌め込み固定する内外装材下地部材固定工程と、
内外装下地部材が固定されたコンクリート型枠をコンクリート打設面に固定してコンクリートを打設しコンクリート躯体を形成するコンクリート打設工程と、
形成されたコンクリート躯体から前記内外装下地部材を残してコンクリート型枠を解体撤去するコンクリート型枠除去工程と
を有するコンクリート構造物の型枠工法。
【請求項６】
前記内外装下地部材は、前記縦溝から表出する面にコンクリート内に埋設固定されるアンカー部が設けられている請求項５に記載のコンクリート構造物の型枠工法。
【請求項７】
前記せき板の前記縦溝の底部には１以上の貫通孔が形成され、
前記内外装下地部材固定工程において、内外装下地部材は、前記貫通孔を介してビス類により前記せき板に固定され、
前記コンクリート型枠除去工程において、前記ビス類をはずすことにより前記内外装下地部材と前記コンクリート型枠との締結を解除することで前記内外装下地部材を残すものである
請求項５又は６に記載のコンクリート構造物の型枠工法。
【請求項８】
表面に複数の断面長方形状の縦溝を形成したせき板を有するコンクリート型枠の前記縦溝に、当該縦溝に係合する断面形状を有する角棒状の内外装下地部材を嵌め込み固定する内外装材下地部材固定工程と、
コンクリート打設面に断熱板を固定する断熱板固定工程と、
前記内外装下地部材が固定されたコンクリート型枠を、前記断熱板の背面に固定する型枠固定工程と、
コンクリートを打設するコンクリート打設工程と、
形成されたコンクリート躯体から前記内外装下地部材を残してコンクリート型枠を解体撤去するコンクリート型枠除去工程と
を有するコンクリート構造物の型枠工法。
【請求項９】
前記コンクリート型枠の縦溝底面には、所定の貫通孔が形成されているとともに、前記下地部材にも前記縦溝に係合した際に当該貫通孔に連通する貫通孔が形成されており、さらに、前記断熱板にも前記コンクリート型枠が固定される際に前記下地部材の貫通孔に連通する貫通孔が形成されているものであって、
前記型枠固定工程及び断熱板固定工程の後に、少なくとも打設されるコンクリート躯体内に埋設されるようにセパレーターを前記各貫通孔に通してナットにより固定するセパレーター固定工程をさらに設けた請求項８に記載のコンクリート構造物の型枠工法。
【請求項１０】
前記コンクリート除去工程の後に、打設されたコンクリート壁面に不陸が生じた場合に、
前記セパレーターを固定しているナットを調整し、断熱板と内外装下地部材との間に介在物を挟んで固定する不陸調整工程を有する
請求項９に記載のコンクリート構造物の型枠工法。
【請求項１１】
前記内外装下地部材はＣ型鋼であって、
前記内外装材下地部材固定工程において、内外装下地部材は、開口部が前記縦溝の底面に面するように固定され、さらに、
前記コンクリート型枠除去工程の後に、前記内外装下地部材の開口を、当該開口に係合固定できる前記内外装下地部材とほぼ同じ幅を持つ板体である固着受材を係合させる固着受材固定工程を有する
請求項８から１０のいずれか１項に記載のコンクリート構造物の型枠工法。
【発明の詳細な説明】
【技術分野】
【０００１】  本発明は、建築工事におけるコンクリート型枠工事に用いられる内外装下地部材と型枠パネル及び内外装下地部材の設置を含むコンクリートの型枠工法に関する。
【背景技術】
【０００２】従来のコンクリート型枠を用いた工法においては、コンクリート躯体を打設し型枠が撤去された後に、コンクリート打設面に木枠で下地材を組んで、これに内外装材類を釘打ちで止めたり、また、軽量鉄骨を組んで、これに内外装材類をタッピングビス類で止めたり、接着剤を団子状に塗って直接内外装材類を圧着したりして固定している。
また、断熱施工を施す場合には、せき板の内面に合成樹脂発泡体などからなる断熱ボードを予め釘止めした状態でコンクリートを打設し、コンクリート硬化後に合板のみを取り外して、断熱コンクリート壁を形成し、その後、やはり内外装材用の下地材を組んで内外装材類を取り付ける。
このように、コンクリート型枠工事においては、コンクリートの打設後に内外装部材類の固定作業を必要とするが、近年最も合理的な方式として、せき板を内外装の下地とする工法が行われている。この工法では、発泡プラスチック断熱材と木毛板・新建材板とを貼り合わせた発砲プラスチック断熱板を、内外装材の下地材と兼用できるコンクリート型枠のせき板として使用し、コンクリート打設後に、せき板を除去せずに、その表面に内外装材仕上げが行われる。この工法ではせき板に断熱材を用いるので、断熱施工も同時に施すことができる。
【発明の開示】
【発明が解決しようとする課題】
【０００３】しかしながら、この工法には次のような問題点があった。即ち、型枠工事でのせき板は、変形・破壊等に十分な剛性と強度が求められるが、せき板を構成する発砲プラスチック断熱材はパネル自体の強度が弱いので厚さを大きくするか、他の複合板と貼り合わせ一体化しなければならず経済的な負担が大きくなる。また、施工に際して、型枠工事における部材搬入・労務費・運搬費・材料等の保管に関する問題も多い。
これらの問題は、強度を要するせき板を内外装の下地として使用することが原因であるが、作業工程の合理下の観点からコンクリートの打設時に内外装の下地がコンクリート躯体に形成されるようにするという利点は維持することが望まれる。
そこで、本願では、せき板を内外装の下地として使用するのではなく、せき板と分離して内外装材下地部材がコンクリート打設後に、コンクリート躯体部分に形成されるような工法を実現することを課題とする。
【課題を解決するための手段】
【０００４】上記のような課題を解決するために、本発明に係る内外装材下地兼用型枠パネル１は次のような構成を有する。
即ち、コンクリート型枠パネルのせき板表面に複数の断面長方形状の縦溝を設け、コンクリート型枠パネルのせき板として剛性を持たせた。型枠に使用する材料は、強度・たわみ量・横端太材の間隔等を考慮して、剛性の高いもので構成する。さらに、これらの縦溝に、角棒状の内外装材下地部材を嵌め込む構成とした。なお、角棒状には中空のもの、例えばＣ型鋼なども含まれる。この内外装下地部材は、コンクリート打設時の側圧に対する補強材と縦端太材の役割も果たす。具体的には、型枠パネルの強度と剛性を増すために、この表面に断面長方形状の縦溝を形成し、この縦溝に角棒状の内外装材下地部材を挿入し、縦溝の裏側よりビス類で固定し、内外装材下地部材をコンクリート側圧の補強材として一体化させる。
内外装下地部材にはせき板から表出する面にアンカー部が設けられる。従って、コンクリート打設後に、コンクリート躯体に内外装材下地部材のアンカー部が確実に固定されるので、下地部材の剥離などが生じない。【０００５】このコンクリート型枠パネルの縦溝の底部には、角棒状の内外装材下地部材を固定するためのビス類穴を任意の間隔に施しておき、作業上の能率化を図るようにした。なお、角棒状の内外装材下地部材は、釘・ビス類等の固定を可能にする範囲内の剛性とするか、予め雌ねじを形成しておくことが望ましい。また、縦溝にセパレータ用穴を設けるとともに、内外装下地部材の対応する位置にもセパレータ用穴を設けることもできる。【０００６】施工法としては、断熱施工を施さない場合には、コンクリート型枠のせき板中央部の複数の縦溝に、内外装材下地部材を嵌め込み、ビス類穴から釘・ビス類で内外装下地部材を固定し、内外装材下地兼用型枠パネルを形成する。これを現場で所定の形状に組み上げてコンクリートを打設しコンクリート躯体を成型する。その後、型枠を解体し、ビス類等をはずして内外装下地部材とプラスチック板との締結を解き、内外装下地部材をコンクリートの躯体に残して型枠パネルを取り外す。その後、残った内外装下地部材を基礎にして内外装工事を行う。【０００７】  断熱施工を施す場合には、型枠パネルのせき板表面に形成される縦溝内にＣ型鋼により形成される内外装下地部材をはめ込み内外装材下地兼用型枠パネルを形成する。そして、コンクリート打設面に断熱板を取り付け、この背面に内外装下地兼用型枠パネルを固定する。その後、コンクリート躯体内に埋設されるようにセパレータを内外装下地兼用型枠パネルの背面から内外装下地部材と断熱板を貫くように固定し、コンクリートを打設してコンクリート躯体を成型する。コンクリート硬化後、断熱板および内外装下地部材を残して型枠パネルを取り除く。その後、内外装下地部材に固着部材を挿入して内外装材を取り付ける。【０００８】なお、コンクリート硬化後、壁面等に不陸を生じた場合、内外装下地部材を固定しているセパレータに係合しているナットを緩めて断熱板と内外装下地部材との間にパッキン類等の介在物を挿入して調整することができる。
【発明の効果】
【０００９】  本発明は、上述のように構成されているので、せき板の中央部に複数の断面凹状部分からなる縦溝に、角棒状の内外装材下地部材を嵌め込むことにより、従来の型枠工事での縦端太材を使用しなくてすむようになり、これらの運搬・組立・解体作業が少なくなる。また、煩雑な内外装材下地部材の取付け工事も省かれ、型枠工事から内外装材下地工事で作業内容の工程の合理化が図られ、工期の短縮ができ大幅なコスト低減ができるようになる。
また、断熱板を固定する場合においては、セパレータを介在して内外装下地部材および断熱板はコンクリートと一体に確実に固定することができる。
さらに、内外装下地部材同士の間に中空層となる空間部分が生じ、この空間部分は通気層として結露・遮音当の硬化が期待できるとともに、配管・配線スペースとして利用することができる。
【図面の簡単な説明】
【００１０】
【図１】実施形態１に係るコンクリート型枠工法の施工状態を示す斜視図である。
【図２】実施形態１に係るコンクリート型枠工法の内外装材を取り付けた状態を示す横断面図である。
【図３】実施形態１に係るコンクリート型枠工法の施工状態を示す縦断面図である。
【図４】実施形態１に係る内外装材下地部材の平面図である。
【図５】実施形態１に係る内外装材下地部材の側面図である。
【図６】実施形態２に係るコンクリート型枠工法の施工状態を示す斜視図である。
【図７】実施形態２に係るコンクリート型枠工法の施工状態を示す横断面図である。
【図８】実施形態２に係るコンクリート型枠工法の変形例における施工状態を示す横断面図である。
【図９】実施形態２に係る内外装下地部材・固着受材・内外装材の分解横断面図である。
【図１０】実施形態２に係る内外装材下地部材の斜視図である。
【図１１】実施形態２に係る固着受材の斜視図である。
【符号の説明】
【００１１】  １    内外装材下地兼用型枠パネル
２    プラスチック板
３、８  縦溝
４、７  内外装材下地部材
５    型枠パネル
６    断熱板
９    外枠
１０    桟木
１１    補強桟木
１２    固着受材
１３    フォームタイ取付孔
１４    セパレータ取付孔
１５    ナット
１６    締結材（くぎ・ビス類）
Ａ    ビス類
Ｂ    アンカー部
Ｃ    セパレータ
Ｄ    ビス類穴
Ｅ    横端太材
Ｆ    通気層
Ｇ    コンクリート打設部
Ｈ    フォームタイ
【発明を実施するための最良の形態】
【００１２】（実施形態１）
以下、本発明の第一の実施形態について説明する。
型枠を構成するプラスチック板は、図１に示すような形状でせき板の厚さ１２ｍｍ、長さ３０００ｍｍ、幅６００ｍｍとし、この表面中央部に間隔３００ｍｍ位の、後述する角棒状の内外装材下地部材４を挿入可能な寸法とした断面が長方形状の縦溝３が複数形成されている。縦溝３の底面には、釘・ビス類を通すための貫通孔であるビス類穴Ｄが複数が設けられている。なお、縦溝３が形成されていないせき板の表面にはセパレータ用の貫通孔であるセパレータ用穴が適宜設けられている。角棒状の内外装材下地部材４は、大きさが厚さ３０ｍｍ、長さ３０００ｍｍ、幅４５ｍｍに形成される。図４に内外層下地部材４の側面図を示し、図５に内外装下地部材４の平面図を示す。図４、５に示すように内外装下地部材４の長手方向に沿った一の表面には、複数の長方形状の穴があいた板状のアンカー部Ｂが突出するように長手方向に沿って形成されている。この内外装下地部材４を、せき板の縦溝３に嵌め込み、ビス類用穴Ｄの裏面から釘・ビス類Ａを用いてせき板に固定し一体化する。これにより、内外装下地部材兼用型枠パネル１を得ることができる。内外装下地部材兼用型枠パネル１は、通常は施工現場ではなく、予め工場等で作成しておき現場に搬入する。なお、せき板や内外装下地部材の上記材質・寸法・形状等に関しては、特別限定するものではない。【００１３】次に、内外装材下地兼用型枠パネル１を現場に搬入して建て込み、図１、図３に示すようにセパレータＣ・フォームタイ等を取り付け、横端太材Ｅを所定の間隔に設けて、支保工で固定する。その後、コンクリートを打設し、コンクリート養生・硬化させ支保工を取り外す。この状態において、内外装下地部材のアンカー部Ｂは図２に示すようにコンクリート躯体Ｇに埋没して固定されることとなる。それから、せき板２の縦溝３の裏側からビス類Ａを取り外して、角棒状の内外装材下地部材４をコンクリート躯体Ｇに残したまま、せき板２のみを除去する。その後、残った内外装下地部材４には、図２に示すように、内外装材Ｉをビス類Ａで固定し仕上げ工事を行う。なお、コンクリート躯体の表面と内外装下地材Ｉとの間には、図２に示すように中空層となる空隙部分が生ずる。この部分は通気層Ｆとして結露・遮音等の防止効果が期待できる。また、この部分のコンクリート表面に、各種断熱材Ｊを先張り及び後張り施工もでき断熱構造とすることもできる。
本実施形態に係る型枠工法では、このように型枠工事から内装下地工事まで一貫して施工できるので、工程が非常に簡素化されることになる。【００１４】なお、この内外装材下地兼用型枠パネル１は、内装材・外装材の双方を同時に仕上げることができる。また、図３のような型枠工事に関してコンクリート打設面の片側に、内外装材下地兼用型枠パネル１を用い、その反対側には、従来の各種せき板類Ｐ（合板・金属製・プラスチック製・硬質繊維板・発砲プラスチック断熱板等）を、使用用途によって、併用することもできる。【００１５】（実施形態２）
以下、本発明の第２の実施形態について説明する。
この型枠パネル５は図６のような形状でせき板の厚さ１２ｍｍ。長さ３ｍ、幅６００ｍｍ位とし、また、表面中央部にある複数の縦溝８の間隔３００ｍｍ位、内外装下地部材７は厚さ１．２ｍｍ、幅４５ｍｍ、長さ３ｍ位とする。外枠９・桟木１０・固定受材１２等を含む上記の寸法に関しては、特別限定するものではない。【００１６】  図６と図７で示す本実施形態に係る型枠パネル５は、断熱板６をコンクリート打設面に設置し、次に、せき板部分に複数配置した縦溝８に図１０に示す内外装下地部材７を係合できる構成としたので、双方の相乗効果でコンクリートＧの側圧に対し、強度的に補強部材として機能させることができる。さらに、両側縁には型枠板を連結できる外枠９を配置した。また、裏面のせき板部の中間部分には、一定間隔からなる複数の桟木１０と縦溝８による補強桟木１１を配置して構成されている。【００１７】  次に、型枠パネル１には、図６に示すようにフォームタイ取付孔１３を一定間隔で縦溝８に複数設ける。また、図１０に示すように内外装下地部材７にも同様にセパレータ取付孔１４を一定間隔で複数設け、セパレータＣを介在して縦溝４に係合した状態でナット１５を固定する。コンクリート硬化後に型枠支保工を解体し、図９に示すように、図１１に示す固着受材１２を内外装下地部材７に挿入し締結材１６で内外装材Ｉを取り付ける。【００１８】  本発明の型枠パネル６は、外枠９・桟木１０・縦溝８による補強桟木１１等を、断熱板２と内外装下地部材７を配置したこととの相乗効果により、せき板の曲げ強度を高めるので縦端太材を兼用することができる。従って、横端太材Ｅを配置したセパレータＣをフォームタイＨで締め付けることで、コンクリートＧの側圧に耐えるような構成としてある。【００１９】  また、型枠パネル６は、コンクリート打設面の両側に使用できる構成である。さらに、使用用途により各種類からなる従来品の型枠板Ｐを、片側に併用することもできる。【００２０】  また、型枠パネル６・内外装下地部材７・固着受材１２の素材に関しては、鋼鉄・プラスチック系が望ましいが、施工上の簡素化・再使用の転用回数・重量の軽減化等に好適な条件を満たす素材であれば、形状と共に特別限定するものではない。さらに、型枠パネル６の強度が十分であれば、図８に示すように内外装下地部材７を縦溝８に係合させることなくコンクリートを打設することもできる。
【図１】
2006129801.tif 000002
【図２】
2006129801.tif 000003
【図３】
2006129801.tif 000004
【図４】
2006129801.tif 000005
【図５】
2006129801.tif 000006
【図６】
2006129801.tif 000007
【図７】
2006129801.tif 000008
【図８】
2006129801.tif 000009
【図９】
2006129801.tif 000010
【図１０】
2006129801.tif 000011
【図１１】
2006129801.tif 000012
【手続補正書】
【提出日】平成18年11月22日(2006.11.22)
【手続補正１】
【補正対象書類名】特許請求の範囲
【補正対象項目名】全文
【補正方法】変更
【補正の内容】
【書類名】特許請求の範囲【請求項１】（削除）【請求項２】プラスチック板により構成され、表面に複数の断面長方形状の縦溝を形成したコンクリート型枠のせき板と、  前記縦溝に嵌め込まれる、角棒状の内外装材下地部材とから構成され、  前記内外装下地部材は、前記縦溝から表出する面にコンクリート内に埋設固定される複数の長方形状の穴があいた板状のアンカー部が設けられている内外装下地兼用型枠パネル。【請求項３】プラスチック板により構成され、表面に複数の断面長方形状の縦溝を形成したコンクリート型枠のせき板と、  前記縦溝に嵌め込まれる、角棒状の内外装材下地部材とから構成され、  前記縦溝の底部には１以上の貫通孔が形成され、前記内外装下地部材の前記貫通孔に対応する位置には雌ねじが形成され、前記内外装下地部材は前記貫通孔を介して前記雌ねじに係合するビス類により前記せき板に固定される請求項１又は２に記載の内外装下地兼用型枠パネル。【請求項４】プラスチック板により構成され、表面に複数の断面長方形状の縦溝を形成したコンクリート型枠のせき板と、  前記縦溝に嵌め込まれる、角棒状の内外装材下地部材とから構成され、  前記縦溝の底部には１以上の貫通孔が形成され、前記内外装下地部材には前記縦溝に係合した際にこの貫通孔に連通する貫通孔が形成される内外装下地兼用型枠パネル。【請求項５】（削除）【請求項６】プラスチック板により構成される表面に複数の断面長方形状部分を縦溝として形成したせき板を有するコンクリート型枠の前記縦溝に角棒状の内外装下地部材を嵌め込み固定する内外装材下地部材固定工程と、  内外装下地部材が固定されたコンクリート型枠をコンクリート打設面に固定してコンクリートを打設しコンクリート躯体を形成するコンクリート打設工程と、  形成されたコンクリート躯体から前記内外装下地部材を残してコンクリート型枠を解体撤去するコンクリート型枠除去工程と  を有し、  前記内外装下地部材は、前記縦溝から表出する面にコンクリート内に埋設固定される複数の長方形状の穴があいた板状のアンカー部が設けられているコンクリート構造物の型枠工法。【請求項７】プラスチック板により構成される表面に複数の断面長方形状部分を縦溝として形成したせき板を有するコンクリート型枠の前記縦溝に角棒状の内外装下地部材を嵌め込み固定する内外装材下地部材固定工程と、  内外装下地部材が固定されたコンクリート型枠をコンクリート打設面に固定してコンクリートを打設しコンクリート躯体を形成するコンクリート打設工程と、  形成されたコンクリート躯体から前記内外装下地部材を残してコンクリート型枠を解体撤去するコンクリート型枠除去工程と  を有し、  前記せき板の前記縦溝の底部には１以上の貫通孔が形成されるとともに、前記内外装下地部材の前記貫通孔に対応する位置には雌ねじが形成され、  前記内外装下地部材固定工程において、内外装下地部材は、前記貫通孔を介して前記雌ねじに係合するビス類により前記せき板に固定され、  前記コンクリート型枠除去工程において、前記ビス類をはずすことにより前記内外装下地部材と前記コンクリート型枠との締結を解除することで前記内外装下地部材を残すものであるコンクリート構造物の型枠工法。【請求項８】（削除）���請求項９】表面に複数の断面長方形状の縦溝を形成したせき板を有するコンクリート型枠の前記縦溝に、当該縦溝に係合する断面形状を有する角棒状の内外装下地部材を嵌め込み固定する内外装材下地部材固定工程と、  コンクリート打設面に断熱板を固定する断熱板固定工程と、  前記内外装下地部材が固定されたコンクリート型枠を、前記断熱板の背面に固定する型枠固定工程と、  コンクリートを打設するコンクリート打設工程と、  形成されたコンクリート躯体から前記内外装下地部材を残してコンクリート型枠を解体撤去するコンクリート型枠除去工程と  を有し、  前記コンクリート型枠の縦溝底面には、所定の貫通孔が形成されているとともに、前記下地部材にも前記縦溝に係合した際に当該貫通孔に連通する貫通孔が形成されており、さらに、前記断熱板にも前記コンクリート型枠が固定される際に前記下地部材の貫通孔に連通する貫通孔が形成されているものであって、  前記型枠固定工程及び断熱板固定工程の後に、少なくとも打設されるコンクリート躯体内に埋設されるようにセパレーターを前記各貫通孔に通してナットにより固定するセパレーター固定工程を有するコンクリート構造物の型枠工法。【請求項１０】前記コンクリート除去工程の後に、打設されたコンクリート壁面に不陸が生じた場合に、  前記セパレーターを固定しているナットを調整し、断熱板と内外装下地部材との間に介在物を挟んで固定する不陸調整工程を有する  請求項９に記載のコンクリート構造物の型枠工法。【請求項１１】前記内外装下地部材はＣ型鋼であって、  前記内外装材下地部材固定工程において、内外装下地部材は、開口部が前記縦溝の底面に面するように固定され、さらに、  前記コンクリート型枠除去工程の後に、前記内外装下地部材の開口を、当該開口に係合固定できる前記内外装下地部材とほぼ同じ幅を持つ板体である固着受材を係合させる固着受材固定工程を有する  請求項９又は１０のいずれか１項に記載のコンクリート構造物の型枠工法。【手続補正書】
【提出日】平成19年1月26日(2007.1.26)
【手続補正１】
【補正対象書類名】特許請求の範囲
【補正対象項目名】全文
【補正方法】変更
【補正の内容】
【特許請求の範囲】
【請求項１】
プラスチック板により構成され、表面に複数の断面長方形状の縦溝を形成したコンクリート型枠のせき板と、
前記縦溝に嵌め込まれる、角棒状の内外装材下地部材とから構成され、
前記縦溝の底部には１以上の貫通孔が形成され、前記内外装下地部材には前記縦溝に係合した際にこの貫通孔に連通する貫通孔が形成される内外装下地兼用型枠パネル。
【請求項２】
表面に複数の断面長方形状の縦溝を形成したせき板を有するコンクリート型枠の前記縦溝に、当該縦溝に係合する断面形状を有する角棒状の内外装下地部材を嵌め込み固定する内外装材下地部材固定工程と、
コンクリート打設面に断熱板を固定する断熱板固定工程と、
前記内外装下地部材が固定されたコンクリート型枠を、前記断熱板の背面に固定する型枠固定工程と、
コンクリートを打設するコンクリート打設工程と、
形成されたコンクリート躯体から前記内外装下地部材を残してコンクリート型枠を解体撤去するコンクリート型枠除去工程と
を有するコンクリート構造物の型枠工法であって、
前記コンクリート型枠の縦溝底面には、所定の貫通孔が形成されているとともに、前記下地部材にも前記縦溝に係合した際に当該貫通孔に連通する貫通孔が形成されており、さらに、前記断熱板にも前記コンクリート型枠が固定される際に前記下地部材の貫通孔に連通する貫通孔が形成されているものであり、
前記型枠固定工程及び断熱板固定工程の後に、少なくとも打設されるコンクリート躯体内に埋設されるようにセパレーターを前記各貫通孔に通してナットにより固定するセパレーター固定工程を設けたコンクリート構造物の型枠工法。
【請求項３】
前記コンクリート除去工程の後に、打設されたコンクリート壁面に不陸が生じた場合に、
前記セパレーターを固定しているナットを調整し、断熱板と内外装下地部材との間に介在物を挟んで固定する不陸調整工程を有する
請求項２に記載のコンクリート構造物の型枠工法。
【請求項４】
表面に複数の断面長方形状の縦溝を形成したせき板を有するコンクリート型枠の前記縦溝に、当該縦溝に係合する断面形状を有する角棒状の内外装下地部材を嵌め込み固定する内外装材下地部材固定工程と、
コンクリート打設面に断熱板を固定する断熱板固定工程と、
前記内外装下地部材が固定されたコンクリート型枠を、前記断熱板の背面に固定する型枠固定工程と、
コンクリートを打設するコンクリート打設工程と、
形成されたコンクリート躯体から前記内外装下地部材を残してコンクリート型枠を解体撤去するコンクリート型枠除去工程と
を有するコンクリート構造物の型枠工法であって、
前記内外装下地部材はＣ型鋼であり、
前記内外装材下地部材固定工程において、内外装下地部材は、開口部が前記縦溝の底面に面するように固定され、さらに、
前記コンクリート型枠除去工程の後に、前記内外装下地部材の開口を、当該開口に係合固定できる前記内外装下地部材とほぼ同じ幅を持つ板体である固着受材を係合させる固着受材固定工程を有するコンクリート構造物の型枠工法。
【国際調査報告】
2006129801.tif 000013
2006129801.tif 000014
2006129801.tif 000015
2006129801.tif 000016